(57)【要約】【課題】記録した直後にインクジェット式プリンターの姿勢が変わると、記録ヘッドから打ち捨てられてまだインク受け部に残っていたインクが、インク受け部の外側に流出し、支持部の周囲に設けられた回路基板などに付着して回路基板の誤動作を招く原因となったり、筐体の外側に流出して設置面を汚したりする虞があるという問題がある。【解決手段】記録ヘッド１３と支持部２０とが対向する方向において、給送面４２ａの記録ヘッド１３と反対側には、電子部品が搭載された回路基板が備えられ、支持部２０と給送面４２ａの間には、隙間Ｃが形成され、凹部２９の上流側には、インクを捕獲する捕獲部としての土手部２１，２２，２３、凹部２５が備えられた記録装置を提供する。【選択図】図９
2015223764.tif 000002
【特許請求の範囲】
【請求項１】
液体を噴射する記録ヘッドと、
前記記録ヘッドと対向する位置で被記録媒体を支持する支持部と、
前記支持部に設けられ、前記被記録媒体の端部から外れた領域に噴射される前記液体を受ける液体受け部と、
前記被記録媒体の搬送方向における前記支持部の上流側の給送面と、
が備えられた記録装置であって、
前記記録ヘッドと前記支持部とが対向する方向において、前記給送面の前記記録ヘッドと反対側には、電子部品が搭載された基板が備えられ、
前記支持部と前記給送面の間には、隙間が形成され、
前記被記録媒体の搬送方向における前記液体受け部の上流側または下流側の少なくともいずれか一方には、前記液体を捕獲する捕獲部が備えられたことを特徴とする記録装置。
【請求項２】
液体を噴射する記録ヘッドと、
前記記録ヘッドと対向する位置で被記録媒体を支持する支持部と、
前記支持部に設けられ、前記液体を吸収する液体吸収体を有し、前記被記録媒体の端部から外れた領域に噴射される前記液体を受ける液体受け部と、
前記被記録媒体の搬送方向における前記支持部の上流側の給送面と、
が備えられた記録装置であって、
前記記録ヘッドと前記支持部とが対向する方向において、前記給送面の前記記録ヘッドと反対側には、電子部品が搭載された基板が備えられ、
前記支持部と前記給送面の間には、隙間が形成され、
前記被記録媒体の搬送方向における前記液体受け部の上流側または下流側の少なくともいずれか一方には、前記液体を捕獲する捕獲部が備えられたことを特徴とする記録装置。
【請求項３】
前記捕獲部は、前記搬送方向における前記液体受け部の上流側に形成されていることを特徴とする請求項１または請求項２に記載の記録装置。
【請求項４】
前記捕獲部は、前記支持部に形成され、前記記録ヘッドの移動方向に沿って延在し、前記記録ヘッド側に突出する突出部であることを特徴とする請求項１から請求項３のいずれか一項に記載の記録装置。
【請求項５】
前記捕獲部は、凹部であることを特徴とする請求項１から請求項３のいずれか一項に記載の記録装置。
【請求項６】
前記捕獲部は、前記支持部に形成され、前記記録ヘッドの移動方向に沿って延在し、前記記録ヘッド側に突出する突出部と、凹部とを含んで構成され、前記突出部と前記凹部とは隣接して配置されることを特徴とする請求項１から請求項３のいずれか一項に記載の記録装置。
【請求項７】
前記捕獲部は、前記搬送方向において、前記記録ヘッド側に突出し前記被記録媒体を支持する第１リブと、前記被記録媒体の端部を検出する位置で前記記録ヘッド側に突出して前記被記録媒体を支持する第２リブとが形成された領域にあることを特徴とする請求項１から請求項６のいずれか一項に記載の記録装置。
【請求項８】
前記凹部には、前記液体を吸収する液体吸収体が設けられていることを特徴とする請求項５または請求項６に記載の記録装置。
【請求項９】
前記捕獲部は、フラッシング領域に設けられていることを特徴とする請求項１または請求項２に記載の記録装置。
【請求項１０】
前記記録装置は、小型で、携帯性に優れる携帯型小型プリンターであることを特徴とする請求項１から請求項９のいずれか一項に記載の記録装置。
【発明の詳細な説明】
【技術分野】
【０００１】
本発明は、記録装置に関する。
【背景技術】
【０００２】
記録装置の一例として、インクを噴射する記録ヘッドを備えて用紙などの被記録媒体に対して余白無く記録を行う、所謂縁無し記録を実行可能なインクジェット式プリンターがある。このようなインクジェット式プリンターには、搬送される被記録媒体を支持する支持部の記録ヘッド側に凹状のインク受け部が形成されている。記録ヘッドから用紙の端部の外側に吐出されたインクは、このインク受け部に打ち捨てられるようになっている。支持部から離れた位置には、インクを吸収するインク吸収体が備えられ、インク受け部に打ち捨てられたインクは、流路を介してインク吸収体に吸収される（例えば、特許文献１）。
【０００３】
ところで、インクジェット式プリンターが保管される際には、記録時の姿勢とは異なる姿勢で収容されることがある。例えば、筐体の外観が略箱型矩形形状のインクジェット式プリンターが本棚などに保管される場合には、記録時における姿勢では設置面と対向していた底面が、収容時における姿勢では、本棚の設置面に対して垂直方向となることがある。
【先行技術文献】
【特許文献】
【０００４】
【特許文献１】特開２００６−２４８０２６号公報
【発明の概要】
【発明が解決しようとする課題】
【０００５】
記録した直後にインクジェット式プリンターの姿勢が変わると、記録ヘッドから打ち捨てられてインク受け部に残っていたインクが、インク受け部の外側に流出し、支持部の周囲に設けられた基板に実装された電子部品や、基板上の配線パターンなどに付着して電子部品の故障や、パターンのショートなどによる基板の誤動作を招く原因となったり、筐体の外側に流出して設置面を汚したりする虞があるという問題がある。
【課題を解決するための手段】
【０００６】
本発明は、上述の課題の少なくとも一部を解決するためになされたものであり、以下の形態または適用例として実現することが可能である。
【０００７】
［適用例１］液体を噴射する記録ヘッドと、前記記録ヘッドと対向する位置で被記録媒体を支持する支持部と、前記支持部に設けられ、前記被記録媒体の端部から外れた領域に噴射される前記液体を受ける液体受け部と、前記被記録媒体の搬送方向における前記支持部の上流側の給送面と、が備えられた記録装置であって、前記記録ヘッドと前記支持部とが対向する方向において、前記給送面の前記記録ヘッドと反対側には、電子部品が搭載された基板が備えられ、前記支持部と前記給送面の間には、隙間が形成され、前記被記録媒体の搬送方向における前記液体受け部の上流側または下流側の少なくともいずれか一方には、前記液体を捕獲する捕獲部が備えられたことを特徴とする記録装置。
【０００８】
本適用例によれば、被記録媒体の搬送方向における液体受け部の上流側または下流側の少なくともいずれか一方には、液体を捕獲する捕獲部が備えられる。これにより、記録装置の姿勢が変わり、記録ヘッドから打ち捨てられた液体が液体受け部の外側に流出しても、捕獲部によって捕獲される。そのため、支持部の周囲に設けられた基板に実装された電子部品や基板上の配線パターンなどに付着して電子部品が故障したり、パターンのショートなどによる基板の誤動作を招く原因となったり、筐体の外側に流出して設置面を汚したりすることを防止できる。
【０００９】
［適用例２］液体を噴射する記録ヘッドと、前記記録ヘッドと対向する位置で被記録媒体を支持する支持部と、前記支持部に設けられ、前記液体を吸収する液体吸収体を有し、前記被記録媒体の端部から外れた領域に噴射される前記液体を受ける液体受け部と、前記被記録媒体の搬送方向における前記支持部の上流側の給送面と、が備えられた記録装置であって、前記記録ヘッドと前記支持部とが対向する方向において、前記給送面の前記記録ヘッドと反対側には、電子部品が搭載された基板が備えられ、前記支持部と前記給送面の間には、隙間が形成され、前記被記録媒体の搬送方向における前記液体受け部の上流側または下流側の少なくともいずれか一方には、前記液体を捕獲する捕獲部が備えられたことを特徴とする記録装置。
【００１０】
本適用例によれば、被記録媒体の搬送方向における液体受け部の上流側または下流側の少なくともいずれか一方には、液体を捕獲する捕獲部が備えられる。これにより、記録装置の姿勢が変わり、記録ヘッドから打ち捨てられた液体が液体受け部の外側に流出しても、捕獲部によって捕獲される。そのため、支持部の周囲に設けられた基板に実装された電子部品や基板上の配線パターンなどに付着して電子部品が故障したり、パターンのショートなどによる基板の誤動作を招く原因となったり、筐体の外側に流出して設置面を汚したりすることを防止できる。
【００１１】
［適用例３］前記捕獲部は、前記搬送方向における前記液体受け部の上流側に形成されていることを特徴とする上記記録装置。
【００１２】
本適用例によれば、記録装置の搬送方向上流側が鉛直方向の下側となる姿勢で記録装置を収容したとき、液体受け部から搬送方向上流側に流出した液体を、捕獲部によって捕獲できる。
【００１３】
［適用例４］前記捕獲部は、前記支持部に形成され、前記記録ヘッドの移動方向に沿って延在し、前記記録ヘッド側に突出する突出部であることを特徴とする上記記録装置。
【００１４】
本適用例によれば、液体受け部の外側に流出しようとする液体の流れを記録ヘッドの移動方向に亘って止める可能性がある。
【００１５】
［適用例５］前記捕獲部は、凹部であることを特徴とする上記記録装置。
【００１６】
本適用例によれば、液体受け部の外側に流出した液体を凹部に貯留することができる。
【００１７】
［適用例６］前記捕獲部は、前記支持部に形成され、前記記録ヘッドの移動方向に沿って延在し、前記記録ヘッド側に突出する突出部と、凹部とを含んで構成され、前記突出部と前記凹部とは隣接して配置されることを特徴とする上記記録装置。
【００１８】
本適用例によれば、液体受け部の外側に流出しようとする液体を、突出部によって止めるとともに凹部に貯留することができる。
【００１９】
［適用例７］前記捕獲部は、前記搬送方向において、前記記録ヘッド側に突出し前記被記録媒体を支持する第１リブと、前記被記録媒体の端部を検出する位置で前記記録ヘッド側に突出して前記被記録媒体を支持する第２リブとが形成された領域にあることを特徴とする上記記録装置。
【００２０】
本適用例によれば、捕獲部を設けるため、搬送方向における専用領域を設けなくてもよいので、記録装置が大型化することを抑制できる。
【００２１】
［適用例８］前記凹部には、前記液体を吸収する液体吸収体が設けられていることを特徴とする上記記録装置。
【００２２】
本適用例によれば、凹部に貯留可能な液体の容量が増加する。
【００２３】
［適用例９］前記捕獲部は、フラッシング領域に設けられていることを特徴とする上記記録装置。
【００２４】
本適用例によれば、捕獲部を設けるための専用領域を設けなくてもよいので、記録装置が大型化することを抑制できる。
【００２５】
［適用例１０］前記記録装置は、小型で、携帯性に優れる携帯型小型プリンターであることを特徴とする上記記録装置。
【００２６】
本適用例によれば、携帯時に携帯型小型プリンターの姿勢が変化しても、液体受け部の外側に流出しようとする液体を捕獲できる。
【図面の簡単な説明】
【００２７】
【図１】カバーが閉じた状態の記録装置の外観斜視図。
【図２】カバーが開いた状態の記録装置の外観斜視図。
【図３】カバーとハウジングを取り外した状態での装置本体の斜視図。
【図４】記録装置の概略構成を説明するための側断面図。
【図５】支持部が露出する状態での斜視図。
【図６】支持部と回路基板の斜視図。
【図７】支持部の側断面図。
【図８】（ａ）は、インク吸収体と接続部の配置を示す斜視図、（ｂ）は、インク吸収体と接続部の配置を示す側断面図。
【図９】支持部の一部を拡大した斜視図。
【図１０】実施形態２における支持部の一部を拡大した斜視図。
【図１１】（ａ）は、実施形態３におけるキャリッジと支持部の側断面図、（ｂ）は、支持部の一部を拡大した斜視図。
【図１２】（ａ）は、比較例における、インク吸収体および接続部を一体に構成した部材の一部を示す斜視図、（ｂ）は、比較例における支持部の一部を拡大した斜視図。
【発明を実施するための形態】
【００２８】
以下、記録装置の実施形態について、図面に従って説明する。各図において、Ｘ方向は記録ヘッドが往復移動する主走査方向を示し、Ｙ方向は用紙などの被記録媒体の搬送方向である副走査方向を示し、Ｚ方向は鉛直方向を示す。上流側、下流側は、副走査方向Ｙにおける方向をいう。上方、上側、上部、下方、下側、下部は、鉛直方向Ｚにおける方向や部位をいう。また、前側は、副走査方向Ｙにおける下流側であり、背面側は、副走査方向Ｙにおける上流側である。
【００２９】
（実施形態１）
図１は、実施形態１に係る記録装置としてのインクジェット式プリンター（以降は、プリンターという）１においてカバー３が閉じた状態の外観斜視図である。プリンター１は、装置本体１０（図３参照）と、装置本体１０の周囲を覆って、プリンター１の外観を構成するハウジング２と、ハウジング２に対して開閉可能なカバー３と、を備える。カバー３は、装置本体１０の背面側に支点が設けられて回動可能に取り付けられる。カバー３は、閉じた状態においてプリンター１の上側の面及び前側の面の一部を構成する。
【００３０】
図２は、カバー３が開いた状態のプリンター１の外観斜視図である。カバー３が開いた姿勢にあるとき、ハウジング２の上部には操作部６と、用紙供給口５とが露出し、ハウジング２の前面には排出口７が露出する。操作部６は、プリンター１を操作するための電源ボタンや印刷設定ボタン、表示パネル等を備えて構成されている。
【００３１】
カバー３が開いた状態にあるとき、カバー３の内側の面は、用紙Ｐの載置面３ａとして機能する。載置面３ａに載置された用紙Ｐは、用紙供給口５から装置本体１０内部に給送され記録される。装置本体１０内部で記録された用紙Ｐは、排出ローラー対８によって排出口７から下流側に排出される。
【００３２】
用紙供給口５には、一対の用紙ガイド４ａ，４ｂが備えられる。用紙ガイド４ｂは、主走査方向Ｘの位置が固定され、用紙ガイド４ａは、主走査方向Ｘにおいてスライド移動可能に備えられる。用紙ガイド４ａ，４ｂは、載置面３ａに載置された用紙Ｐの主走査方向Ｘにおける端部の位置を規制する。
【００３３】
プリンター１は、記録時においては設置面と対向していた底面２ａが、保管時においてはカバー３を閉じた状態で本棚などの設置面に対して垂直方向となる姿勢に変えて保管することができる。すなわち、記録時の姿勢から、カバー３を閉じた状態で背面側の側面２ｂが本棚などの設置面と対向する面となる姿勢に変えて保管することが可能である。
【００３４】
図３は、カバー３とハウジング２を取り外した状態での装置本体１０の斜視図である。図４は、プリンター１の概略構成を説明するための側断面図である。装置本体１０の背面側には、鉛直方向Ｚに対して傾斜した姿勢で備えられ、用紙Ｐの少なくとも一部を支持するホッパー１９が備えられる。用紙Ｐは、ホッパー１９と図２の載置面３ａとによって傾斜した姿勢で支持される。
【００３５】
図４の破線Ｌは、用紙Ｐの搬送経路を示している。搬送経路上流側には、ホッパー１９と載置面３ａに載置された用紙Ｐを下流側に給送する給送ローラー１５が備えられている。ホッパー１９は、上部に回動支点が設けられて揺動可能に構成される。
【００３６】
ホッパー１９の下端部が給送ローラー１５に接近する方向に回動した際、給送ローラー１５は、ホッパー１９に載置された最上位の用紙Ｐと接し、該最上位の用紙Ｐを搬送経路下流側に給送する。上流側壁部４１および中間壁部４２の上側には、搬送路となる給送面４１ａ，４２ａが形成される。用紙Ｐは、給送ローラー１５によって給送面４１ａ，４２ａに沿って搬送される。
【００３７】
給送ローラー１５の下流側には、図示しない駆動源により回転駆動する搬送駆動ローラー１６ａと、搬送駆動ローラー１６ａに対して従動する従動ローラー１６ｂとから構成される搬送ローラー対１６が備えられている。搬送ローラー対１６は、給送ローラー１５によって給送された用紙Ｐをニップして下流側に搬送する。
【００３８】
搬送ローラー対１６の下流側には記録部１２が設けられている。記録部１２は、キャリッジ１１と、キャリッジ１１の底部に設けられた記録ヘッド１３と、記録ヘッド１３に対向し、用紙Ｐを支持する支持部２０とを含んで構成される。支持部２０には、上流側リブ２６、中間リブ２７、下流側リブ２８が設けられる。用紙Ｐは、上流側リブ２６、中間リブ２７、下流側リブ２８の上面に沿って下流側に搬送される。
【００３９】
キャリッジ１１は、装置本体１０の内部に設けられた制御部（図示せず）により制御されるキャリッジ駆動モーター１７（図３参照）によって主走査方向Ｘに往復移動する。支持部２０に設けられた上流側リブ２６、中間リブ２７、下流側リブ２８は、用紙Ｐを下方から支持することにより、用紙Ｐの記録面と記録ヘッド１３のヘッド面との間の距離（ギャップ）を規定する。
【００４０】
記録部１２では、支持部２０に支持されて搬送される用紙Ｐに対して、記録ヘッド１３の複数のノズル穴（図示せず）から「液体」としてのインクが用紙Ｐに向けて吐出され、当該インクが用紙Ｐの記録面（記録ヘッド１３に対向する面）に着弾することにより記録が実行される。
【００４１】
記録部１２の下流側には、搬送駆動ローラー１６ａと共通の駆動源により回転駆動する排出駆動ローラー８ａと、排出駆動ローラー８ａに対して従動する従動ローラー８ｂとから構成される排出ローラー対８が設けられている。記録部１２で記録が実行された用紙Ｐは、排出ローラー対８にニップされて装置前面に形成された排出口７から装置前方に向けて排出される。
【００４２】
支持部２０の下面の上流側下端部には、補強部材４３が取り付けられている。本実施形態の補強部材４３は剛性の高い材質、一例として金属材料等で形成されている。補強部材４３は支持部２０の主走査方向Ｘにおける撓みを抑制し、キャリッジ１１の移動領域における記録ヘッド１３と支持部２０との距離（ギャップ）を一定の距離に保持することができる。
【００４３】
上流側壁部４１の下方には、回路基板４４が備えられる。回路基板４４には、記録ヘッド１３の噴射制御を行うための、図示しない電子部品を含む制御回路が形成されている。回路基板４４にはシールド板４５が取り付けられている。シールド板４５は導電材料で形成されており、回路基板４４の制御回路に対するノイズの影響を低減する。
【００４４】
支持部２０と中間壁部４２との間には、隙間Ｃが設けられ、搬送駆動ローラー１６ａは、隙間Ｃに配置される。回路基板４４、シールド板４５は、上流側壁部４１の給送面４１ａおよび中間壁部４２の給送面４２ａの下側に配置される。
【００４５】
図５は、支持部２０が露出する状態での装置本体１０の斜視図である。図５には、キャリッジ１１を図示していない。支持部２０の図面右側には、キャップ手段４８が備えられる。キャップ手段４８は、キャリッジ１１がホームポジションに位置する際、記録ヘッド１３と対向し、記録ヘッド１３のノズル形成面（図示せず）に押し付けられ、当該ノズル形成面を封止してインクの乾燥を防止できるようになっている。
【００４６】
キャップ手段４８は、記録ヘッド１３に押しつけられた封止状態と、記録ヘッド１３から離間した離間状態とをとり得るように構成されている。キャップ手段４８が記録ヘッド１３に対して封止状態にある場合に、ポンプ１８を駆動させると、廃インクチューブ４６を介してキャップ手段４８に負圧を生じさせる。この負圧により、記録ヘッド１３のノズルからインクの吸引が行われ、ノズルの目詰まりや気泡混入を解消できるようになっている。
【００４７】
また、プリンター１における記録動作実行中に一定のタイミングでフラッシング動作が行われる。このフラッシング動作は、キャリッジ１１をホームポジションに一時的に移動させ、キャップ手段４８に向けてインクを噴射して打ち捨てる動作である。
【００４８】
図６は、支持部２０と、支持部２０の上流側に配置された回路基板４４の斜視図である。支持部２０には中間リブ２７，３３が配置される。中間リブ２７，３３は、副走査方向Ｙにおいて記録ヘッド１３と対向する位置に配置される。
【００４９】
中間リブ２７，３３の、上流側には上流側リブ２６が配置され、下流側には下流側リブ２８が配置される。上流側リブ２６、中間リブ２７，３３、下流側リブ２８は、記録ヘッド１３側に突出し、主走査方向Ｘにおいて間隔をおいてそれぞれ複数配置される。上流側リブ２６、中間リブ３３、下流側リブ２８は、副走査方向Ｙに延設される。
【００５０】
図５の矢印Ａは、主走査方向Ｘにおいて、インク吸収体３０が凹部２９に配置される範囲を示す。副走査方向Ｙにおいて、インク吸収体３０は、記録ヘッド１３と対向する位置に配置される。中間リブ２７は、インク吸収体３０を貫通し、中間リブ２７の上面はインク吸収体３０の上面より高い。
【００５１】
用紙Ｐは、普通紙だけでなく、Ｌ判写真用紙や葉書等も含まれる。プリンター１は、Ｌ判写真用紙や葉書等のサイズの小さい用紙（以下「小サイズ用紙」と言う）の記録面全面に記録を実行する所謂縁無し記録が実行可能に構成されている。
【００５２】
凹部２９及びインク吸収体３０の主走査方向Ｘにおける長さは、プリンター１において小サイズ用紙に縁無し記録を実行可能な長さに設定されている。すなわち、小サイズ用紙の端部から外れた領域に凹部２９及びインク吸収体３０が位置するように構成されている。
【００５３】
これにより、インク吸収体３０は、縁無し記録実行時に小サイズ用紙の端部から外れた領域に打ち捨てられたインクを吸収して、一時的に保持することができる。凹部２９は、用紙Ｐの端部から外れた領域に噴射されるインクを受ける液体受け部を構成する。
【００５４】
図７は、支持部２０のインク吸収体３０が備えられた断面位置において下流側から見た側断面図である。インク吸収体３０の下方には、インク吸収体３２が備えられる。インク吸収体３０とインク吸収体３２との間には、インクの伝達流路となる接続部３１が備えられる。インク吸収体３０に吸収されたインクは、接続部３１を伝達流路として流れてインク吸収体３２に吸収される。インク吸収体３０，３２、接続部３１は、スポンジ材で構成される。
【００５５】
カートリッジ取付部５１には、廃インクカートリッジ５０が着脱可能に備えられる。キャップ手段４８で生じた廃インクは、ポンプ１８により廃インクチューブ４６を介して吸引され、ポンプ１８から延びる廃インクチューブ４７、廃インクチューブ４７に接続された取付部５１を介して廃インクカートリッジ５０に収容される。
【００５６】
図８（ａ）は、インク吸収体３０，３２と接続部３１の配置を示す斜視図である。図８（ｂ）は、副走査方向Ｙから見た図で、インク吸収体３０，３２と接続部３１の配置を示す側断面図である。接続部３１は、副走査方向Ｙに長い矩形状の板状部３１ａと、板状部３１ａから主走査方向Ｘに延びる板状部３１ｂとから構成される。板状部３１ａの上面は、インク吸収体３０の下面と接した状態で配置される。
【００５７】
図８（ｂ）の板状部３１ｂは、板状部３１ａに対して下側に傾斜した姿勢で備えられ、板状部３１ｂの先端部は、支持部２０の凹部２９に設けられた穴２９ａを通り、インク吸収体３２に挿入した状態で備えられる。
【００５８】
本実施形態のインク吸収体３０，３２、接続部３１は、それぞれ個別の部材である。これにより、接続部３１を、インク吸収体３０における中央部に配置することができる。そのため、記録ヘッド１３から吐出されたインクが用紙Ｐの端部の外側に打ち捨てられて、インク吸収体３０において着弾する位置または着弾する位置に近い位置に、接続部３１を配置することができる。従って、記録ヘッド１３から吐出されてインク吸収体３０に吸収されたインクを早く接続部３１を伝達経路としてインク吸収体３２に流出させることができる。
【００５９】
図１２（ａ）は、比較例におけるインク吸収体および接続部を一体に構成した部材の一部を示す斜視図である。接続部９１は、インク吸収体となる本体部９０の外側に設けられ、本体部９０の面方向に対して下方に略直角に曲げられた状態でインク吸収体９２に挿入される。
【００６０】
接続部９１が本体部９０の外側に設けられているので、接続部９１の位置は、記録ヘッド１３からインクが吐出されて、インク吸収体となる本体部９０において着弾する位置から離れた位置に配置される。従って、記録ヘッド１３から吐出されて本体部９０に吸収されたインクが本体部９０に滞留する時間が長くなる。
【００６１】
図９は、支持部２０の一部を拡大した斜視図である。凹部２９の上流側には、記録ヘッド１３側に突出し、上流側リブ２６の下流側端部と接続し、主走査方向Ｘに延びる土手部２１が設けられる。土手部２１は、凹部２９の上流側の壁面の一部を形成し、インク吸収体３０は、土手部２１に隣接して備えられる。土手部２１の上面は、インク吸収体３０より高く、上流側リブ２６より低い。
【００６２】
主走査方向Ｘに並ぶ複数の上流側リブ２６の間には、反射部２４がそれぞれ形成される。反射部２４は、副走査方向Ｙに延設された、山部２４ａと谷部２４ｂとが主走査方向Ｘにおいて交互に並んで形成された部分である。
【００６３】
支持部２０および中間壁部４２の下側は、補強部材４３によって補強される。中間壁部４２と補強部材４３との間には、中間壁部４２の下側の隙間Ｂ１、中間壁部４２の上流側の隙間Ｂ２、中間壁部４２の上部の隙間Ｂ３がある。
【００６４】
図４のキャリッジ１１の下部には、不図示の発光部および受光部を有する検出部１４が、副走査方向Ｙにおいて反射部２４と対向する位置に設けられる。検出部１４は、反射部２４に照射した反射光の反射率から、上流側リブ２６の位置を搬送する用紙Ｐの主走査方向Ｘおよび副走査方向Ｙの端部を検出する。
【００６５】
反射部２４の上流側には、記録ヘッド１３側に突出して主走査方向Ｘに延びる２本の土手部２２，２３が並列に並んで形成される。土手部２２，２３は、上流側リブ２６と接続され、土手部２２の上面は、谷部２４ｂの底面より高く、上流側リブ２６の上面より低い。
【００６６】
土手部２２，２３の間には、凹部２５が主走査方向Ｘに延びて形成される。凹部２５は、土手部２２の上流側側面２２ａ、土手部２３の下流側側面２３ａ、上流側リブ２６の側面２６ａを含んで形成される。
【００６７】
図１２（ｂ）は、比較例におけるプリンターの支持部の一部を拡大した斜視図である。比較例における支持部８０には、反射部２４の上流側に土手部や凹部は設けられていない。そのため、記録した直後に、プリンターの姿勢が変わり上流側が下側となると、記録ヘッド１３から噴射されて用紙Ｐの端部の外側で凹部２９の範囲に吐出されたインクが、凹部２９の外側の上流側に流出し、反射部２４に沿って流れ、支持部８０と中間壁部４２の給送面４２ａとの隙間Ｃ、中間壁部４２と補強部材４３との隙間Ｂ１，Ｂ２，Ｂ３を通り、中間壁部４２の上流側に配置された回路基板４４に付着してしまう。
【００６８】
以上、本実施形態で説明した図４のプリンター１は、インクを噴射する記録ヘッド１３と、記録ヘッド１３と対向する位置で用紙Ｐを支持する支持部２０と、図９の支持部２０に設けられ、インク吸収体３０を有し、用紙Ｐの端部から外れた領域に噴射されるインクを受ける液体受け部としての凹部２９と、支持部２０の上流側の給送面４２ａと、が備えられる。そして、記録ヘッド１３と支持部２０とが対向する方向において、給送面４２ａの記録ヘッド１３と反対側には、電子部品が搭載された回路基板４４が備えられ、支持部２０と給送面４２ａの間には、隙間Ｃが形成され、凹部２９の上流側には、インクを捕獲する捕獲部としての土手部２１，２２，２３、凹部２５が備えられる。
【００６９】
この構成によれば、プリンター１の上流側が下側となる状態に姿勢が変わり、記録ヘッド１３から凹部２９に打ち捨てられたインクが凹部２９の上流側に流出しようとしても土手部２１によって抑制できる。また、土手部２１を越えて上流側にインクが流れても、土手部２２，２３、凹部２５によって流れが止められる。
【００７０】
これにより、記録ヘッド１３から噴射されて用紙Ｐの端部の外側で凹部２９の範囲に吐出されたインクが、支持部２０と給送面４２ａとの隙間Ｃ、支持部２０の上流側に位置する中間壁部４２と補強部材４３との隙間Ｂ１，Ｂ２，Ｂ３に流出しない。
【００７１】
従って、支持部２０の周囲に設けられた回路基板４４に実装された電子部品や回路基板４４上の配線パターンなどに付着して電子部品が故障したり、パターンのショートなどによる回路基板４４の誤動作を招く原因となったり、ハウジング２（筐体）の外側に流出して設置面を汚したりすることを防止できる。
【００７２】
また、土手部２１，２２，２３、凹部２５は、凹部２９の上流側に形成されている。この構成によれば、プリンター１の上流側が下側となる姿勢で収容されたとき、凹部２９から上流側に流出するインクを、土手部２１，２２，２３、凹部２５によって捕獲できる。
【００７３】
また、土手部２１，２２，２３は、支持部２０に形成され、記録ヘッド１３の移動方向（主走査方向Ｘ）に沿って延在し、記録ヘッド１３側に突出する突出部である。これにより、凹部２９の外側に流出しようとするインクを主走査方向Ｘに亘って土手部２１，２２，２３によって止める可能性がある。
【００７４】
また、インクを捕獲する捕獲部を構成する凹部２５には、凹部２９の外側に流出するインクが貯留される。
【００７５】
また、凹部２５は、土手部２２，２３と隣接して配置される。これにより、凹部２９の外側に流出したインクを、土手部２２，２３によって止めるとともに凹部２５に貯留することができる。
【００７６】
また、プリンター１は、小型で、携帯性に優れる携帯型小型プリンターである。携帯時にプリンター１の姿勢が変化しても、凹部２９の外側に流出しようとするインクを捕獲できる。
【００７７】
（実施形態２）
実施形態２では、凹部２９の下流側に土手部と凹部を設けたプリンターについて説明する。図１０は、実施形態２における支持部２０ａの一部を拡大した斜視図である。
【００７８】
凹部２９の上流側には、実施形態１で説明した反射部２４、土手部２１，２２，２３、凹部２５が設けられる。凹部２９の下流側には、記録ヘッド１３側に突出し、主走査方向Ｘに延びる土手部６１が設けられる。
【００７９】
土手部６１は、下流側リブ２８と接続され、土手部６１の上面は、インク吸収体３０より高く、下流側リブ２８の上面より低い。土手部６１の下流側には、土手部６１の下流側側面６１ａと下流側リブ２８の側面２８ａを含んで形成された凹部６０が主走査方向Ｘに延びて形成される。
【００８０】
支持部２０ａには、凹部２９の下流側に、主走査方向Ｘに延びる土手部６１、凹部６０が設けられる。このような構成により、記録ヘッド１３からインクが吐出された直後に、排出口７側が下側となる姿勢となったとき、支持部２０ａの凹部２９からインクが流出することを土手部６１で抑制できる。また、土手部６１を越えて流出したインクを凹部６０によって保持できるので、支持部２０ａの外側にインクが流出することを抑制できる。
【００８１】
捕獲部を構成する土手部６１、凹部６０は、副走査方向Ｙにおいて、支持部２０ａから突出し用紙Ｐを支持する下流側リブ２８（第１リブ）が形成された領域にある。また、捕獲部を構成する土手部２１，２２，２３、凹部２５は、用紙Ｐの端部を検出する位置で上流側リブ２６（第２リブ）が形成された領域にある。
【００８２】
この構成によれば、捕獲部を設けるため、副走査方向Ｙにおいて専用領域を設けなくてもよいので、プリンターが大型化することを抑制できる。実施形態２におけるプリンターのその他の構成は、実施形態１で説明したプリンター１の構成と同じである。
【００８３】
（実施形態３）
実施形態１、実施形態２では、液体受け部としての凹部２９にインク吸収体３０を備えたが、実施形態３では、液体受け部にインク吸収体を備えない記録装置について説明する。図１１（ａ）は、実施形態３におけるキャリッジ１００と支持部１０２を主走査方向Ｘから見た側断面図である。図１１（ｂ）は、支持部１０２の一部を拡大した斜視図である。
【００８４】
副走査方向Ｙに延びるリブ１０４が設けられる。リブ１０４の下流側には、下流側壁部１１１が設けられる。キャリッジ１００に備えられた記録ヘッド１０１と対向する位置を搬送する用紙（不図示）は、リブ１０４の上面１０４ａ、下流側壁部１１１の搬送面１１１ａに沿って搬送される。
【００８５】
支持部１０２には、キャリッジ１００に備えられた記録ヘッド１０１と対向する位置に、液体受け部１０７が設けられる。液体受け部１０７の下流側で下流側壁部１１１の下方には、凹部１０９が設けられ、凹部１０９には、インク吸収体１１０が備えられる。
【００８６】
図１１（ｂ）の液体受け部１０７には、副走査方向Ｙに延びる複数の溝部１０７ａが形成されている。図１１（ａ）の液体受け部１０７と凹部１０９との段差部１０８には、溝部１０７ａが延長された溝部（不図示）が形成される。
【００８７】
記録ヘッド１０１から噴射されて用紙の端部の外側に打ち捨てられたインクは、液体受け部１０７に着弾し、溝部１０７ａと段差部１０８の溝部を流路として流れて凹部１０９に流出する。凹部１０９に流出したインクは、インク吸収体１１０に吸収される。
【００８８】
液体受け部１０７の上流側には、記録ヘッド１０１側に突出し、リブ１０４と接続され、主走査方向Ｘに延びる２本の土手部１０３，１０５が設けられる。土手部１０３，１０５の上面１０３ａ，１０５ａは、溝部１０７ａより高い。土手部１０３，１０５の間には、凹部１０６が形成される。
【００８９】
記録ヘッド１０１から液体受け部１０７に打ち捨てられた直後に、上流側が下側となる姿勢に変わり、液体受け部１０７から上流側に流出しようとするインクは、土手部１０３によって流れが止められる。また、土手部１０３を越えて上流側に流出したインクは、凹部１０６によって保持されるので、支持部１０２の外側にインクが流出することを抑制できる。
【００９０】
このように、実施形態３におけるプリンターは、捕獲部としての、土手部１０３，１０５、凹部１０６が設けられる。これにより、プリンターの姿勢が変わり、液体受け部１０７から上流側に流出したインクが、支持部１０２と、支持部１０２の上流側に配置された給送面（不図示）との隙間を通り、回路基板（不図示）に付着してしまうことを抑制できる。実施形態３におけるプリンターのその他の構成は、実施形態１で説明したプリンター１の構成と同じである。
【００９１】
実施形態１の凹部２５、実施形態２の凹部６０、実施形態３の凹部１０６に、インクを吸収するインク吸収体（液体吸収体）を設けてもよい。これにより、凹部２５，６０，１０６に貯留可能なインクの容量を増加させることができる。
【００９２】
また、キャップ手段４８を備えてフラッシング動作が行われるフラッシング領域に、捕獲部を設けてもよい。これにより、捕獲部を設けるための専用領域を設けなくてもよいので、プリンターが大型化することを抑制できる。
【００９３】
実施形態１〜実施形態３では、キャリッジ１１，１００に設けられて往復移動する記録ヘッド１３，１０１を備えた記録装置について説明したが、本発明は、主走査方向Ｘに並ぶノズルが配置され、本体装置に対して固定された記録ヘッドを備えた記録装置にも適用する。
【符号の説明】
【００９４】
１…インクジェット式プリンター、１３，１０１…記録ヘッド、２０，２０ａ，１０２…支持部、２１，２２，２３，６１，１０３，１０５…土手部、２４…反射部、２５，２９，６０，１０６…凹部、２６…上流側リブ、２８…下流側リブ、３０…インク吸収体、４１ａ，４２ａ…給送面、４４…回路基板、１０７…液体受け部、Ｃ…隙間、Ｘ…主走査方向、Ｙ…副走査方向、Ｚ…鉛直方向。
【図１】
2015223764.tif 000003
【図２】
2015223764.tif 000004
【図３】
2015223764.tif 000005
【図４】
2015223764.tif 000006
【図５】
2015223764.tif 000007
【図６】
2015223764.tif 000008
【図７】
2015223764.tif 000009
【図８】
2015223764.tif 000010
【図９】
2015223764.tif 000011
【図１０】
2015223764.tif 000012
【図１１】
2015223764.tif 000013
【図１２】
2015223764.tif 000014